(57)【特許請求の範囲】
【請求項１】
紫外線ランプと、
前記紫外線ランプを内挿するランプ保護管と、
前記ランプ保護管の少なくとも一端が外部に露出するように該ランプ保護管を保持して収納し、かつ、処理対象物を収納する容器と、
前記容器における前記ランプ保護管を保持する部位において、該ランプ保護管の外周に密接して前記容器を密封する封止部材と
を具える紫外線処理装置において、
紫外線遮蔽素材からなる弾性の遮光板であって、少なくとも前記ランプ保護管の内面の円周長に応じた長さを持つ主遮光部と、該主遮光部の前記長さ方向の両端において非平行的な収束形状を成して延びた第１及び第２のオーバーラップ部とからなる前記遮光板を具備し、
前記遮光板を前記長さ方向に巻いた状態で前記ランプ保護管の内周に密接するように該ランプ保護管内に配置し、かつ、前記封止部材に対向するように位置させることを特徴とする紫外線処理装置。
【請求項２】
前記主遮光部は略平行な２辺を有し、前記各オーバーラップ部は、前記主遮光部の２辺間の幅を越えない横幅を持つ少なくとも１つの非平行的な収束形状からなる、請求項１に記載の紫外線処理装置。
【請求項３】
前記各オーバーラップ部は、前記主遮光部に接する部位を底辺とする略二等辺三角形状を成す、請求項１又は２に記載の紫外線処理装置。
【請求項４】
前記遮光板における各角を丸くした、請求項１乃至３のいずれかに記載の紫外線処理装置。
【請求項５】
前記遮光板の板厚が０．００５mm乃至１mmの範囲である、請求項１乃至４のいずれかに記載の紫外線処理装置。
【請求項６】
前記遮光板の材質は、ステンレス系、銅系、ニッケル系、鉄、アルミニウム、アルミ合金、金、銀、モリブデン、チタン、アモルファス、コバール、ケイ素のいずれかからなる、請求項１乃至５のいずれかに記載の紫外線処理装置。
【請求項７】
前記遮光板の材質がステンレス系、銅系、ニッケル系、鉄、アルミニウム、アルミ合金、銀、モリブデン、チタン、アモルファス、コバール、ケイ素のいずれかからなり、かつ、表面に金メッキを施してなる、請求項１乃至５のいずれかに記載の紫外線処理装置。
【請求項８】
前記封止部材はＯリングである、請求項１乃至７のいずれかに記載の紫外線処理装置。
【請求項９】
前記処理対象物は液体である、請求項１乃至８のいずれかに記載の紫外線処理装置。
【請求項１０】
紫外線ランプと、前記紫外線ランプを内挿するランプ保護管と、前記ランプ保護管の少なくとも一端が外部に露出するように該ランプ保護管を保持して収納し、かつ、処理対象物を収納する容器と、前記容器における前記ランプ保護管を保持する部位において、該ランプ保護管の外周に密接して前記容器を密封する封止部材とを具える紫外線処理装置において使用される遮光部品であって、
紫外線遮蔽素材からなる弾性の遮光板であって、少なくとも前記ランプ保護管の内面の円周長に応じた長さを持つ主遮光部と、該主遮光部の前記長さ方向の両端において非平行的な収束形状を成して延びた第１及び第２のオーバーラップ部とからなる前記遮光板で構成されており、
使用時において、前記遮光板を前記長さ方向に巻いた状態で前記ランプ保護管の内周に密接するように該ランプ保護管内に配置し、かつ、前記封止部材に対向するように位置させることを特徴とする遮光部品。
【請求項１１】
前記主遮光部は略平行な２辺を有し、前記各オーバーラップ部は、前記主遮光部の２辺間の幅を越えない横幅を持つ少なくとも１つの非平行的な収束形状からなる、請求項１０に記載のに記載の遮光部品。
【請求項１２】
前記各オーバーラップ部は、前記主遮光部に接する部位を底辺とする略二等辺三角形状を成す、請求項１０又は１１に記載の遮光部品。
【請求項１３】
前記遮光板における各角を丸くした、請求項１０乃至１２のいずれかに記載の遮光部品。
【請求項１４】
前記遮光板の板厚が０．００５mm乃至１mmの範囲である、請求項１０乃至１３のいずれかに記載の遮光部品。
【請求項１５】
前記遮光板の材質は、ステンレス系、銅系、ニッケル系、鉄、アルミニウム、アルミ合金、金、銀、モリブデン、チタン、アモルファス、コバール、ケイ素のいずれかからなる、請求項１０乃至１４のいずれかに記載の遮光部品。
【請求項１６】
前記遮光板の材質がステンレス系、銅系、ニッケル系、鉄、アルミニウム、アルミ合金、銀、モリブデン、チタン、アモルファス、コバール、ケイ素のいずれかからなり、かつ、表面に金メッキを施してなる、請求項１０乃至１４のいずれかに記載の遮光部品。
【発明の詳細な説明】
【技術分野】
【０００１】
本発明は、紫外線処理装置に関し、特に、容器を密封するためのＯリング等の封止部材が紫外線によって劣化することを防止するための遮光手段を改良したことに関し、かつ、そのための遮光部品に関する。
【背景技術】
【０００２】
半導体やＦＰＤ（フラットパネルディスプレー）の工場では、製品の製造工程で超純水を用いている。その超純水の水質項目に生菌数とＴＯＣ（全有機体炭素）濃度がある。微生物を不活化するための設備として紫外線殺菌装置が使用されており、ＴＯＣ濃度を低減するための設備の一つとして圧ＵＶ酸化装置が使用されている。これらの装置は円筒形の反応容器内に254nm光あるいは185nm光の紫外線を発する低圧水銀ランプが1本もしくは複数本充填されている。このランプは容器内の被処理水に直接触れることがないように石英製のランプ保護管内に１本ずつ挿填されている。被処理水はこのランプ保護管の外側と反応容器の内側との間を紫外線に曝露されながら圧送されている。処理水中の微生物は、254nm光の紫外線に曝露されて不活化される。この不活化は一般的に殺菌とも表現されている。また185nm光の紫外線に曝露された処理水からＯＨラジカルが生成されて、ＯＨラジカルが酸化剤となってＴＯＣを酸化分解している。同時に、低圧水銀ランプからの185nm光と254nm光により、有機物を直接分解している。同様の反応は波長300nm以下を発する光源（紫外線ランプ）であれば低圧水銀ランプに限らず、中圧水銀ランプ、高圧水銀ランプ、エキシマランプなどでも起こる。ランプ保護管の素材としては、石英、サファイア、フッ素樹脂などが用いられている。【０００３】
ランプ保護管の少なくとも一端は、容器の壁面にて支持されて該容器の外部に露出し、該外部に露出した一端からランプ保護管内部のランプが抜き差しできるようになっている。そして、該容器における該ランプ保護管を保持する部位において、該ランプ保護管の外周に密接して該容器内を密封するために弾力性に富んだ封止部材が設けられる。典型的には、封止部材はゴム製のＯリングからなる。しかし、紫外線は、被処理水だけでなく、この封止部材（Ｏリング）にも少なからず照射しており、その蓄積がＯリングの紫外線劣化を招き、漏水という不具合の発生原因となることがある。特に、低圧水銀ランプの出力が上がり、ランプとランプ保護管に使用する石英について254nm光あるいは185nm光の透過率が高いものを使用することにより、より短時間でＯリングが紫外線劣化する傾向にある。【０００４】
ところで、光源と一体になった装置もしくは光源に対して、その一部に遮光を施すことにより、周辺部品の劣化を防ぐ従来技術として、下記特許文献に示されるようなものが知られている。特許文献１及び２は、紫外線を放射するアークチューブの電源接続端部の側から漏洩した紫外線が合成樹脂製絶縁プラグを劣化させることがないようにするために、リング状のＵＶ遮光部材を設けることを開示している。特許文献３は、並列的に配置された複数の紫外線ランプから紫外線を空間中に放射して処理対象物に照射する構成からなる紫外線処理装置において、隣接するランプから放射される紫外線の影響を減少させるために、各ランプの隣接側面にＵＶ遮光膜を設けることを開示している。【０００５】
特許文献４は、エキシマレーザ用ウィンドウにおいて、レーザ媒質ガスを封止するためのＯリングがレーザ光により劣化することを防止するために、該ウィンドウとＯリングとの密接面に紫外線を透過しない膜を蒸着し、その膜の上に酸化保護膜を被着させることを開示している。特許文献５は、固体レーザ発振器において、フィルタ筒の端部を液密に封止するＯリングが励起光により劣化することがないように、励起ランプの端部から漏洩する光を遮るための遮光リングを設けることを開示している。特許文献６は、プラズマ処理室の気密性を保持するためのＯリングが劣化することを防止するために、金属の薄い帯状鋼板をスパイラル状に巻いたもの、あるいは導線をソレノイドコイル状に巻いたもの若しくは筒状に編み上げたものからなるプラズマ遮断手段を、Ｏリングが嵌め込まれた環状溝よりも処理室側に形成した別の環状溝内に嵌め込むことを開示している。【０００６】
しかし、いずれの特許文献に記載されたものも、前述したようなランプ保護管の外周に密接してＯリングを配置した構成に適するものではない。そのような構成においては、ＵＶ遮光手段をランプ保護管内に配置する必要がある。上記特許文献の知見により、円筒リング状のＵＶ遮光手段をランプ保護管内に配置することが考えられるが、円筒状の遮光リングを用いる場合はランプ保護管の内径より幾分小さな外径の遮光リングを使用することにより、ランプ保護管内への挿入を容易にする構成が採用されるのが一般的である。しかし、そうすると、該遮光リングは、ランプ保護管内で幾分ルーズな状態となり、ランプ保護管内に収納された紫外線ランプを交換する時に、該ランプの口金に遮光リングが引っ掛かることで、遮光リングが移動し易くなり、面倒な位置修正が必要となるという問題が生じ、また、ランプの出し入れの妨げともなる。よって、固定径からなる円筒リング状のＵＶ遮光手段をランプ保護管内に配置することは好ましくない。
【先行技術文献】
【特許文献】
【０００７】
【特許文献１】特開2002-270010号
【特許文献２】特開2003-123630号
【特許文献３】特開2014-159029号
【特許文献４】実開平6-29160号
【特許文献５】特開平11-274612号
【特許文献６】特開2005-63986号
【０００８】
これに対して、弾力性のある金属製板材を巻き回してランプ保護管内に配置することにより、リング状のＵＶ遮光手段を構成することが考えられる。これにより、板材そのものの弾力性によって、該巻き回されたリング状の板材がランプ保護管の内周に密着しやすくなり、ランプ保護管内でルーズに移動する恐れがなくなる筈である。しかし、発明者らの分析によると、図５（a）に示すような長方形のＵＶ遮光板材１を使用した場合、該遮光板材１を長さ方向に巻いた状態でランプ保護管２の内周に密接するように該ランプ保護管２内に配置したとき、同図（ｂ）に断面図で示すように、巻きの外側になった一端部１ａはランプ保護管２の内周に密接するが、巻きの内側になった他端部１ｂの近傍が少し浮き上がる、という現象が起こることが分かった。そうすると、前記固定径からなる円筒リング状のＵＶ遮光手段の場合と同様に、ランプ保護管内に収納された紫外線ランプを交換する時に、該ランプの口金に前記他端部１ｂの近傍の浮き上がり部分１ｃが引っ掛かることで、遮光リングが移動し易くなり、面倒な位置修正が必要となるという問題が生じ、また、ランプの出し入れの妨げともなる。
【発明の概要】
【０００９】
本発明は、上述の点に鑑みてなされたもので、ランプ保護管の外周に密接して封止部材を配置した構成からなる紫外線処理装置において、ランプ保護管内に収納された紫外線ランプの出し入れの妨げにならないような構成からなる、該封止部材の紫外線劣化を防ぐための遮光手段（遮光部品）を提供することを目的とする。
【００１０】
上記課題を解決するために、本発明に係る紫外線処理装置は、紫外線ランプと、前記紫外線ランプを内挿するランプ保護管と、前記ランプ保護管の少なくとも一端が外部に露出するように該ランプ保護管を保持して収納し、かつ、処理対象物を収納する容器と、前記容器における前記ランプ保護管を保持する部位において、該ランプ保護管の外周に密接して前記容器を密封する封止部材とを具える紫外線処理装置において、紫外線遮蔽素材からなる弾性の遮光板であって、少なくとも前記ランプ保護管の内面の円周長に応じた長さを持つ主遮光部と、該主遮光部の前記長さ方向の両端において非平行的な収束形状を成して延びた第１及び第２のオーバーラップ部とからなる前記遮光板を具備し、前記遮光板を前記長さ方向に巻いた状態で前記ランプ保護管の内周に密接するように該ランプ保護管内に配置し、かつ、前記封止部材に対向するように位置させることを特徴とする。
【００１１】
また、上記課題を解決するために、本発明に係る遮光部品は、紫外線ランプと、前記紫外線ランプを内挿するランプ保護管と、前記ランプ保護管の少なくとも一端が外部に露出するように該ランプ保護管を保持して収納し、かつ、処理対象物を収納する容器と、前記容器における前記ランプ保護管を保持する部位において、該ランプ保護管の外周に密接して前記容器を密封する封止部材とを具える紫外線処理装置において使用される遮光部品であって、紫外線遮蔽素材からなる弾性の遮光板であって、少なくとも前記ランプ保護管の内面の円周長に応じた長さを持つ主遮光部と、該主遮光部の前記長さ方向の両端において非平行的な収束形状を成して延びた第１及び第２のオーバーラップ部とからなる前記遮光板で構成されており、使用時において、前記遮光板を前記長さ方向に巻いた状態で前記ランプ保護管の内周に密接するように該ランプ保護管内に配置し、かつ、前記封止部材に対向するように位置させることを特徴とする。
【００１２】
本発明によれば、遮光部品は前記主遮光部と前記第１及び第２のオーバーラップ部とからなる弾性の遮光板によって構成され、該遮光板を巻き回してランプ保護管内に配置した状態において、該第１及び第２のオーバーラップ部が該主遮光部にオーバーラップした状態で巻き回されることになる。このように、弾性の遮光板を巻き回してランプ保護管内に配置することにより、遮光板そのものの弾性によって、該巻き回されてリング状となった遮光板がランプ保護管の内周に密着しやすくなり、ランプ保護管内でルーズに移動する恐れがない。また、該遮光板が、前記主遮光部と、その両端から延びた前記第１及び第２のオーバーラップ部とによって構成されており、該主遮光部は、少なくとも前記ランプ保護管の内面の円周長に応じた長さを持つので、巻き回されてリング状を成したとき、該主遮光部によって封止部材に対向するランプ保護管の内周を適切にカバーすることができ、該封止部材に対する遮光性能が確保される。また、前記第１及び第２のオーバーラップ部は、前記主遮光部の前記長さ方向の両端において非平行的な収束形状を成して延びているので、該非平行的な収束形状により、該遮光板の端部での曲げに対する反発力を分散させることができ、もって、図５（ｂ）に示したような浮き上がり１ｃを抑制することができる。すなわち、図５（ａ）のような単純な長方形の遮光板材１では、端部１ｂが矢印Ｌ方向に一直線を成しているため、矢印Ｌの位置での直角方向Ｂへの曲げ力に対して、一直線状の端部１ｂ全体の反発力が作用するため、曲げに対する反発力が最大となり、そのために、その近傍で浮き上がり１ｃが生じると思われる。これに対して、本発明では、遮光板の両端部を成す第１及び第２のオーバーラップ部が非平行的な収束形状を成しているので、該遮光板の端部での曲げに対する反発力を分散させることができ、端部近傍での浮き上がりを抑制することができる。従って、本発明によれば、ランプ保護管内に収納された紫外線ランプの出し入れの妨げにならないような構成からなる遮光手段を提供することができ、また、ランプ保護管内に収納された紫外線ランプを交換する時に、該ランプの口金等に該遮光手段が引っ掛かってその配置がずれるという問題も起こらない。
【図面の簡単な説明】
【００１３】
【図１】本発明の一実施例に係る紫外線処理装置の外観を略示する斜視図。
【図２】図１における１つの紫外線ランプユニットの一端部分を拡大して示す縦断面略図。
【図３】（ａ）は、巻き回す前の、平板状に展開された、遮光板の一例を示す平面図、（ｂ）は、遮光板を長さ方向に巻き回してランプ保護管の内周に密接するように該ランプ保護管内に配置した状態を示す横断面図。
【図４】遮光板のいくつかの変形例を示す平面図。
【図５】長方形の遮光板材の問題点を説明する図。
【発明を実施するための形態】
【００１４】
図１は、一実施例に係る紫外線処理装置１０の外観を略示する斜視図であり、一例として液体を紫外線処理するものであり、例えば本明細書の冒頭で述べたような超純水処理を行うものである。容器１１は、処理対象物としての液体を取り入れる取入口１１ａと、処理済の液体を排出する排出口１１ｂとを有する。容器１１には、複数の紫外線ランプユニット２０が設置される。各紫外線ランプユニット２０は同一構成のものであってよいため、以下、１つの紫外線ランプユニット２０についてのみ詳細を説明する。
【００１５】
図２は、１つの紫外線ランプユニット２０の一端部分を拡大して示す縦断面略図である。紫外線ランプユニット２０は、紫外線透過性の透明なランプ保護管２１と、該ランプ保護管２１に内挿される紫外線ランプ２２とを含む。反応容器１１の端部壁面１１ｃの所定箇所に、該ランプ保護管２１の容器１１内部への挿入を許す孔が穿たれており、該ランプ保護管２１は、該孔から容器１１の内部に挿入され、該容器１１の端部壁面１１ｃにおいて、一端が外部に露出するようにして、支持される。容器１１におけるランプ保護管２１を保持する部位において、該ランプ保護管２１の外周に密接してゴム製のＯリング２３（容器１１を密封するための封止部材）が設けられる。容器１１の端部壁面１１ｃの前記孔には、外側寄りの所定箇所に雌ネジが設けられており、ランプ保護管２１の端部を固定するためのキャップ２４に設けられた雄ネジと螺合する。ランプ保護管２１の端部寄りの適宜位置の外周にＯリング２３を嵌着した状態で、ランプ保護管２１の端部にてキャップ２４を締める方向にネジ回すことにより、キャップ２４に設けられた雄ネジが容器１１の端部壁面１１ｃの前記孔に設けられた前記雌ネジに螺合し、図で左方向にキャップ２４が進む。紫外線ランプ２２は、波長300nm以下の紫外線（例えば185nm光と254nm光）を放射し得るものである。
【００１６】
容器１１の端部壁面１１ｃの前記孔の内側寄りは、ランプ保護管２１の外周に密接しうるサイズの小径部１１ｄとなっていて、ランプ保護管２１の外周を支持するための部位として機能すると共に、Ｏリング２３をその位置で止めるためのストッパーとしても機能する。締める方向にネジ回すことによって図で左方向に進行するキャップ２４の先端がＯリング２３を押し、該Ｏリング２３が小径部１１ｄの箇所で圧接して止められることにより、容器１１の内部が液密に密封される。この密封状態において、ランプ保護管２１の一端がキャップ２４の内向きフランジ２４ａに当接するか、適宜の（例えば数mm程度の）隙間が設定されてもよい。ランプ保護管２１の一端は開放端となっており、キャップ２４の内向きフランジ２４ａの内側も開口２４ｂとなっている。この開口２４ｂを通して、ランプ保護管２１の内部が容器１１の外部に通じており、ランプ保護管２１外への又は内へのランプ２２の出し入れが可能となっている。更に、キャップ２４の周囲にカバー２５が設置され、ランプ２２のコネクタ等が収納されるが、公知の構成であるため、詳細は省略する。
【００１７】
本発明に係る遮光部品の一実施例である遮光板３０は、１枚の紫外線遮蔽素材からなる弾性板材を巻き回して、ランプ保護管２１内に配置したものであり、Ｏリング２３に対向するように配置することにより、保護管２１に内挿された光源ランプ２２から該Ｏリング２３に向かう紫外線を遮蔽する。図３（ａ）は、巻き回す前の、平板状に展開された、遮光板３０の一例を示す平面図である。この遮光板３０は、２つの機能的部位からなっており、その１つは、少なくともランプ保護管２１の内面の円周長Ｃに略対応する長さを持つ主遮光部３１であり、もう１つは、該主遮光部３１の前記長さ方向の両端において非平行的な収束形状を成して延びた第１及び第２のオーバーラップ部３２ａ，３２ｂである。図示例では、主遮光部３１は平行な２辺を有する長方形であり、その両端から延びた各オーバーラップ部３２ａ，３２ｂは、それぞれ、該主遮光部３１の２辺間の幅を越えない横幅を持つ１つの非平行的な収束形状（すなわち三角形）を成している。勿論、主遮光部３１と第１及び第２のオーバーラップ部３２ａ，３２ｂは、同一素材からなる一体物である。図３（ａ）においては、各オーバーラップ部３２ａ，３２ｂは、主遮光部３１に接する部位を底辺とする略二等辺三角形からなっている。一例として、遮光板３０は、ステンレスからなり、板厚は０．１mm程度である。
【００１８】
なお、主遮光部３１の幅Wは、ランプ保護管２１からＯリング２３に向かう紫外線を遮蔽するのに十分な長さとするものとし、例えば、５ｃｍ前後であれば十分である。この主遮光部３１の幅Wは、遮光板３０を長さ方向に巻き回してランプ保護管２１に配置した状態において、管軸方向（長尺のランプ２２の長さ方向）に関して遮光板３０が成す長さとなる。つまり、リング状に巻かれた遮光板３０が幅Wの範囲でＯリング２３の周辺を遮光することになる。また、主遮光部３１の長さ（ランプ保護管２１の内周方向の長さ）として許容される最小値は、必ずしもランプ保護管２１の内面の円周長Ｃと丁度同じ長さである必要はなく、その両端のオーバーラップ部３２ａ，３２ｂの形状によっては、それよりも（Ｃよりも）適宜短くてもよい。すなわち、ランプ保護管２１の内面の円周長Ｃの全体を主遮光部３１が完全にカバーしていなくとも、主遮光部３１の両端のオーバーラップ部３２ａ，３２ｂの付け根近辺の部分によって不足箇所をカバーしうる場合がある。例えば、主遮光部３１の長辺とオーバーラップ部３２ａの一辺とがなす角度α（図３（ａ）参照）が比較的大きく、また、主遮光部３１の幅Wが比較的長ければ、オーバーラップ部３２ａ，３２ｂの付け根近辺の部分においても、Ｏリング２３に向かう紫外線を十分に遮蔽することができる。勿論、主遮光部３１の長さ（ランプ保護管２１の内周方向の長さ）は、ランプ保護管２１の内面の円周長Ｃより長い分には差し支えないが、不要に長くする必要はない。以上をまとめると、主遮光部３１の長さ（ランプ保護管２１の内周方向の長さ）は、少なくともランプ保護管２１の内面の円周長Ｃに応じた長さ（Ｃよりも適宜短い場合も含む）を持っていればよい。
【００１９】
図３（ｂ）は、遮光板３０を長さ方向に巻き回してランプ保護管２１の内周に密接するように該ランプ保護管２１内に配置した状態を示す横断面図である。なお、見やすくするために、ランプ保護管２１の内周は点線で描き、遮光板３０の断面は太い実線で描いてある。遮光板３０の前記主遮光部３１は、少なくともランプ保護管２１の内面の円周長Ｃに応じた長さを持つので、巻き回されてリング状を成したとき、各オーバーラップ部３２ａ，３２ｂが主遮光部３１に重なり、主として該主遮光部３１によって（若しくは更にオーバーラップ部３２ａ，３２ｂの付け根近辺の部分によって）Ｏリング２３に対向するランプ保護管２１の内周全体を適切にカバーすることができ、該Ｏリング２３に対する遮光性能が確保される。また、第１及び第２のオーバーラップ部３２ａ，３２ｂは、前記主遮光部３１の前記長さ方向の両端において非平行的な収束形状（図３の例では略二等辺三角形）を成して延びているので、該非平行的な収束形状により、該遮光板３０の端部での曲げに対する反発力を分散させることができる。すなわち、オーバーラップ部３２ａ，３２ｂの先端（二等辺三角形の頂点）は、曲げの始まりであるため比較的大きな反発力を発生するはずであるが、曲げ部位が点若しくは微小幅であるため、曲げに対する反発力はあまり大きくならない。オーバーラップ部３２ａ，３２ｂの付け根に近づくにつれて曲げ部位の幅が増すが、既に他の部分が曲げられているため曲げに対する反発力はあまり大きくならない。このようにして、遮光板３０の端部での曲げに対する反発力を分散させることができるので、リング状に巻き回された遮光板３０全体がランプ保護管２１の内周に密接し、前記図５（ｂ）に示したような端部近傍部分での浮き上がりが生じない、若しくは目立たないように抑制することができる。
【００２０】
上述のように、遮光板３０を長さ方向に巻き回してランプ保護管２１の内周に密接するように該ランプ保護管２１内に配置した状態において、端部近傍部分での浮き上がりが生じないので、該ランプ保護管２１外へ又はランプ保護管２１内から紫外線ランプ２２を出し入れする際に、ランプの口金が遮光板３０に引っ掛かるという問題が起こらない。
【００２１】
遮光板３０におけるオーバーラップ部３２ａ，３２ｂの形状は、上述した略二等辺三角形に限らず、種々に変更可能である。また、略二等辺三角形の場合も、その頂角を鋭角にする、あるいは鈍角にするなど、種々の変更が可能である。図４は、遮光板３０のいくつかの変形例を示す。図４（ａ）は、オーバーラップ部３２ａ，３２ｂを略二等辺三角形の頂角βを鋭角とした例を示す。頂角βの鋭角度が増すほど、主遮光部３１の長辺とオーバーラップ部３２ａの一辺とがなす角度αが増し、遮光板３０の端部での曲げに対する反発力の分散度が増し、端部近傍部分での浮き上がりをより抑制することができる。勿論、オーバーラップ部３２ａ，３２ｂが長くなりすぎないようにするために、頂角βの鋭角度を増すには限度がある。一例として、経験的に、頂角βの最小値を略２０度程度とするとよい。その場合、上記角度αは略１７０度程度となる。一方、オーバーラップ部３２ａ，３２ｂの略二等辺三角形の頂角βを鈍角としてもよく、その場合、鈍角度が増すほど、主遮光部３１の長辺とオーバーラップ部３２ａの一辺とがなす角度αが減り、遮光板３０の端部での曲げに対する反発力の分散度が減り、端部近傍部分での浮き上がりの抑制度合いが減少する。必要な浮き上がりの抑制を得るためには、頂角βの鈍角度にも限度がある。一例として、経験的に、頂角βの最大値を略１４０度程度とするとよい。その場合、上記角度αは略１１０度程度となる。そうすると、１つの指針として、主遮光部３１の長辺とオーバーラップ部３２ａ，３２ｂの一辺とがなす角度αが、略１１０度乃至略１７０度程度の範囲に収まるように、オーバーラップ部３２ａ，３２ｂの形状を決定するのがよいと思われる。
【００２２】
図４（ｂ）は、オーバーラップ部３２ａ，３２ｂを略直角三角形とし、遮光板３０全体を略平行四辺形に形成した例を示す。（ｃ）は、オーバーラップ部３２ａ，３２ｂを略直角三角形とし、遮光板３０全体を略台形に形成した例を示す。（ｄ）は、オーバーラップ部３２ａ，３２ｂを不等辺三角形とした例を示す。これらの形状においても、オーバーラップ部３２ａ，３２ｂの非平行的な収束形状のために、遮光板３０を長さ方向に巻き回してランプ保護管２１の内周に密接するように該ランプ保護管２１内に配置した状態において、遮光板３０の端部での曲げに対する反発力が分散され、もって、端部近傍部分での浮き上がりが生じない、若しくは抑制することができる。なお、この場合も、主遮光部３１の長辺とオーバーラップ部３２ａ，３２ｂの一辺とがなす角度αが、略１１０度乃至略１７０度程度の範囲に収まるように、オーバーラップ部３２ａ，３２ｂの形状を決定するのがよい。
【００２３】
オーバーラップ部３２ａ，３２ｂが成す非平行的な収束形状は1つに限らず、図４（ｅ）に示すように、複数あってもよい。図４（ｅ）に示す複数の収束形状を持つ遮光板３０において、各収束形状の先端の位置は、互いにずれており、一点鎖線で示すように不等辺三角形状若しくは多角形状の全体的な輪郭を提示する。このように複数の収束形状を持つ場合も、オーバーラップ部３２ａ，３２ｂの非平行的な収束形状のために、遮光板３０を長さ方向に巻き回してランプ保護管２１の内周に密接するように該ランプ保護管２１内に配置した状態において、遮光板３０の端部での曲げに対する反発力が分散され、もって、端部近傍部分での浮き上がりが生じない、若しくは抑制することができる。
【００２４】
遮光板３０は、金型プレス加工によって形成してもよいが、エッチング加工あるいはフォトレジストエッチング加工によって形成するのが経済的である。エッチングに適し、かつ、紫外線遮蔽性能を持つ材質としては、ステンレス系、銅系、ニッケル系、鉄、アルミニウム、アルミ合金、金、銀、モリブデン、チタン、アモルファス、コバール（Ｋｏｖａｒ）、ケイ素などがあり、これらのいずれかを遮光板３０の素材として使用することができる。また、金以外の素材（ステンレス系、銅系、ニッケル系、鉄、アルミニウム、アルミ合金、銀、モリブデン、チタン、アモルファス、コバール、ケイ素）については表面に金メッキを施しても良い。また、遮光板３０の板厚は、０．００５mm乃至１mm程度の範囲であればよい。なお、遮光板３０において角を成している各箇所に丸みを持たせるように加工するとよく、そうすると、角に何かが引っ掛かりにくくなり、また、作業時に指等が傷つけられるおそれもない。
【００２５】
上記実施例では、主遮光部３１の２つの長辺が直線状に延びて互いに平行となっているが、これに限らず、例えば、主遮光部３１の２つの長辺が直線ではなく緩く湾曲したような曲線を成していてもよい。
【００２６】
なお、紫外線ランプ２２は、一端にのみ接続用の口金を持つタイプ、あるいは両端に接続用の口金を持つタイプ、のどちらを使用してもよい。前者のタイプの場合、該紫外線ランプ２２を内挿するランプ保護管２１は、容器の一端側の壁面１１ｃでのみ支持され、かつ、該支持端側でのみ開口している。後者のタイプの場合、該紫外線ランプ２２を内挿するランプ保護管２１は、容器の両端側の壁面１１ｃでそれぞれ支持され、かつ、該両端で開口しており、前記Ｏリング２３及び前記遮光板３０も、ランプ保護管２１の両端側にそれぞれ設けられる。なお、本発明は、封止部材としてＯリング２３を用いるものに限らず、その他のゴム製パッキン等、任意の液密又は気密用の封止部材を用いるものにおいて適用することができる。
【００２７】
上述した遮光板３０は、紫外線処理装置１０に付属して流通・販売されてよいのは勿論のこと、個々の紫外線ランプユニット２０若しくは保護管２１に付属して流通・販売されてもよく、また、紫外線処理装置１０若しくは紫外線ランプユニット２０において使用されるために、独立した遮光部品として単独で流通・販売されてもよい。また、本発明に係る紫外線処理装置とは、上述したような液体処理用の紫外線処理装置１０に限らず、空気空間内に置かれた処理対象物体を殺菌・消毒するための紫外線殺菌装置もその範疇に含む。
【図１】
0006592077.tif 000002
【図２】
0006592077.tif 000003
【図３】
0006592077.tif 000004
【図４】
0006592077.tif 000005
【図５】
0006592077.tif 000006